(57)【要約】【課題】遮音部材及び各表面材をそれぞれ容易に交換することができる防音カーテンを提供する。【解決手段】互いに向かい合って配置された一対の表面材１１と、該各表面材間に配置され、一方の表面材１１側から他方の表面材１１側への音の伝播を遮断するためのシート状の遮音部材１２とを、各表面材１１及び遮音部材１２間に設けられた結合部材１３により、それぞれ互いに解除可能に結合させる。【選択図】図１
2008119156.tif 000002
【特許請求の範囲】
【請求項１】
互いに向かい合って配置された一対の表面材と、該各表面材間に配置され、一方の該表面材側から他方の前記表面材側への音の伝播を遮断するための遮音部材とを備え、前記各表面材及び前記遮音部材間には、前記各表面材及び前記遮音部材をそれぞれ互いに解除可能に結合させるための結合部材が設けられていることを特徴とする防音カーテン。
【請求項２】
前記結合部材は、前記各表面材又は前記遮音部材に設けられ、該遮音部材又は前記各表面材に向けて突出する突起部と、前記遮音部材又は前記各表面材に設けられ、前記突起部に係止可能な係止部とを備え、前記各表面材及び前記遮音部材は、前記係止部が前記突起部に係止することにより互いに結合され、前記突起部への前記係止部の係止が解除されることにより互いに分離することを特徴とする請求項１に記載の防音カーテン。
【請求項３】
前記各表面材と前記遮音部材との間には、前記各表面材を経て該各表面材及び前記遮音部材間に伝播した音の少なくとも一部を吸収するための吸音部材がそれぞれ配置されていることを特徴とする請求項１又は２に記載の防音カーテン。
【請求項４】
前記各吸音部材は、前記各表面材及び前記遮音部材の前記結合部材による結合により前記各表面材及び前記遮音部材から受ける圧縮力によって、それぞれ前記各表面材及び前記遮音部材間に挟持されていることを特徴とする請求項３に記載の防音カーテン。
【発明の詳細な説明】
【技術分野】
【０００１】
本発明は、例えば建物に形成された窓を通しての音の伝播を防止するために、窓を覆うように設けられた防音カーテンに関する。
【背景技術】
【０００２】
従来、例えば建物に形成された窓に設けられる防音カーテンとして、表面材である一組のレースカーテンと、該各レースカーテン間に配置された遮音部材であるプラスチックフィルムとを備える防音カーテンが知られている（例えば、特許文献１参照。）。プラスチックフィルムは、各レースカーテンに例えば糸により縫合され又は接着剤により接着されることにより、各レースカーテンに一体的に結合されている。
【０００３】
この防音カーテンによれば、例えば室内側に位置する一方のレースカーテンを通過した音がプラスチックフィルムに当たったとき、プラスチックフィルムは音から受ける音圧により音の周波数と同一の周波数でいわゆる膜振動し、このプラスチックフィルムの膜振動が各レースカーテンの変形により吸収される。これにより、前記一方のレースカーテンを通過した音がプラスチックフィルムを経てその室外側に伝播することが防止される。従って、音が防音カーテンを通過することを防止することができるので、室内で発生した音が窓を経て屋外に漏れることを確実に抑制することができる。
【特許文献１】実用新案登録第３０７３３３９号公報
【発明の開示】
【発明が解決しようとする課題】
【０００４】
ところで、例えば防音カーテンの遮音性能を調節するために各レースカーテンを交換することなく遮音部材であるプラスチックフィルムを他の遮音部材に交換する場合や、防音カーテンを設置する部屋の雰囲気に応じて各表面材の材質及び色等を変更させるためにプラスチックフィルムを交換することなく各レースカーテンを他の表面材に交換する場合、既存のプラスチックフィルム及び各レースカーテンを互いに分離させる必要がある。
【０００５】
しかしながら、プラスチックフィルムが糸による縫合又は接着剤による接着によって各レースカーテンに一体的に結合されていることから、プラスチックフィルム及び各レースカーテンを互いに分離させるために、縫合に用いた糸を解いたりプラスチックフィルム及び各レースカーテンを互いに剥離させたりする必要があるため、防音カーテンの分解作業に手が掛かる。また、新たな遮音部材と既存のレースカーテンとを用いて防音カーテンを再度作るとき、又は、新たな表面材と既存の遮音部材とを用いて防音カーテンを再度作るとき、遮音部材と各表面材とを互いに縫合し又は接着する必要があるため、防音カーテンをたとえ容易に分解することができたとしても、防音カーテンを再度組み立てるための作業に手が掛かる。従って、遮音部材及び各表面材をそれぞれ交換するための作業が全体的に煩雑になる。
【０００６】
そこで、本発明の目的は、遮音部材及び各表面材をそれぞれ容易に交換することができる防音カーテンを提供することにある。
【課題を解決するための手段】
【０００７】
上記課題を解決するために、請求項１に記載の発明は、互いに向かい合って配置された一対の表面材と、該各表面材間に配置され、一方の該表面材側から他方の前記表面材側への音の伝播を遮断するための遮音部材とを備え、前記各表面材及び前記遮音部材間には、前記各表面材及び前記遮音部材をそれぞれ互いに解除可能に結合させるための結合部材が設けられていることを特徴とする。
【０００８】
請求項２に記載の発明は、請求項１に記載の発明において、前記結合部材は、前記各表面材又は前記遮音部材に設けられ、該遮音部材又は前記各表面材に向けて突出する突起部と、前記遮音部材又は前記各表面材に設けられ、前記突起部に係止可能な係止部とを備え、前記各表面材及び前記遮音部材は、前記係止部が前記突起部に係止することにより互いに結合され、前記突起部への前記係止部の係止が解除されることにより互いに分離することを特徴とする。
【０００９】
請求項３に記載の発明は、請求項１又は２に記載の発明において、前記各表面材と前記遮音部材との間には、前記各表面材を経て該各表面材及び前記遮音部材間に伝播した音の少なくとも一部を吸収するための吸音部材がそれぞれ配置されていることを特徴とする。
【００１０】
請求項４に記載の発明は、請求項３に記載の発明において、前記各吸音部材は、前記各表面材及び前記遮音部材の前記結合部材による結合により前記各表面材及び前記遮音部材から受ける圧縮力によって、それぞれ前記各表面材及び前記遮音部材間に挟持されていることを特徴とする。
【発明の効果】
【００１１】
請求項１に記載の発明によれば、各表面材間に、一方の表面材側から他方の表面材側への音の伝播を遮断するための遮音部材が配置されていることから、各表面材を通過した音が遮音部材に当たったとき、従来と同様に、該遮音部材は音から受ける音圧により音の周波数と同一の周波数でいわゆる膜振動し、この遮音部材の膜振動が各表面材の変形により吸収される。これにより、各表面材を通過した音が遮音部材をその一側から他側に伝播することが防止される。従って、防音カーテンの一方の表面材側から他方の表面材側に音が防音カーテンを経て伝播することを防止することができるので、防音カーテンを例えば建物の窓に設けた場合、室内で発生した音が窓を経て屋外に漏れることを確実に抑制することができる。
【００１２】
また、各表面材及び遮音部材間には、各表面材及び遮音部材をそれぞれ互いに解除可能に結合させるための結合部材が設けられていることから、各表面材及び遮音部材は、それぞれ結合部材を介して互いに着脱可能に結合されている。
【００１３】
これにより、結合部材による結合を単に解除することにより各表面材及び遮音部材を互いに容易に分離することができるので、各表面材及び遮音部材を互いに分離させるために、従来のように遮音部材及び各表面材の縫合に用いた糸を解いたり遮音部材及び各表面材を互いに剥離させたりする場合に比べて、防音カーテンの分解作業を確実に容易に行うことができる。また、各表面材及び遮音部材を各結合部材により互いに結合させることにより防音カーテンを容易に組み立てることができるので、防音カーテンを組み立てるために、従来のように遮音部材と各表面材とを互いに縫合し又は接着する場合に比べて、防音カーテンを容易に組み立てることができる。
【００１４】
従って、例えば防音カーテンの遮音性能を調節するために各表面材を交換することなく遮音部材を他の遮音部材に交換する場合や、防音カーテンを設置する部屋の雰囲気に応じて各表面材の材質及び色等を変更させるために遮音部材を交換することなく各表面材を他の表面材に交換する場合でも、結合部材による結合を解除することにより各表面材及び遮音部材を互いに分離させ、遮音部材及び各表面材を新たな遮音部材及び各表面材に交換した後、新たな遮音部材と既存の各表面材とを互いに結合部材により結合し、又は、新たな各表面材と既存の遮音部材とをそれぞれ結合部材により結合することにより、従来のように遮音部材と各表面材とが互いに縫合され又は接着されることにより結合された場合に比べて、遮音部材及び各表面材をそれぞれ交換するための作業を容易に行うことができる。
【００１５】
請求項２に記載の発明によれば、結合部材は、各表面材又は遮音部材に設けられ、遮音部材又は各表面材に向けて突出する突起部と、遮音部材又は各表面材に設けられ、突起部に係止可能な係止部とを備えることから、係止部を突起部に係止することにより各表面材及び遮音部材を互いに容易に結合することができ、また、突起部への係止部の係止を解除することにより各表面材及び遮音部材を互いに容易に分離させることができる。
【００１６】
請求項３に記載の発明によれば、各表面材と遮音部材との間に、各表面材を経て該各表面材及び遮音部材間に伝播した音の少なくとも一部を吸収するための吸音部材がそれぞれ配置されていることから、遮音部材による遮音作用に加えて、各吸音部材による吸音作用により、防音カーテンの一方の表面材側から他方の表面材側に音が防音カーテンを経て伝播することをより確実に防止することができる。また、各表面材を経て該各表面材及び遮音部材間に伝播した音の一部が、各吸音部材により吸収されることなく各吸音部材を経て遮音部材に到達したときに該遮音部材で反射した場合でも、遮音部材で反射した音を各吸音部材で吸収することができるので、遮音部材で反射した音による残響の発生を確実に防止することができる。
【００１７】
請求項４に記載の発明によれば、吸音部材は、接着剤による接着力や糸による縫合力によることなく、結合部材による各表面材及び遮音部材の結合により各表面材及び遮音部材のそれぞれから受ける圧縮力によって、それぞれ各表面材及び遮音部材間に挟持されていることから、結合部材の結合の解除による各表面材及び遮音部材の相互の分離により前記圧縮力の強さが低下するので、各表面材及び遮音部材との縫合に用いた糸を解いたり各吸音部材を各表面材及び遮音部材から剥離させたりするような格別な作業を施すことなく、結合部材による結合を単に解除することにより、各表面材及び遮音部材間から各吸音部材を容易に取り出すことができる。これにより、例えば防音カーテンの全体の吸音性能を変更するために吸音部材を交換する必要がある場合でも、格別な作業を施すことなく各吸音部材を新たな吸音部材に容易に交換することができる。
【発明を実施するための最良の形態】
【００１８】
本発明を図示の実施例に沿って説明する。
【実施例】
【００１９】
本発明に係る防音カーテン１０は、図１に示すように、一対の表面材１１と、該各表面材間に配置された遮音部材１２とを備える。
【００２０】
各表面材１１は、図示の例では、それぞれ布地からなり、防音カーテン１０の横方向（図３で見て左右方向である。）に伸びる矩形状をなしている。各表面材１１を構成する前記布地の比重の値は、図示の例では、それぞれ０．６ｋｇ／ｍ３に設定されている。各表面材１１は、それぞれ互いに間隔をおいて向かい合うように配置されている。
【００２１】
遮音部材１２は、図示の例では、塩化ビニルで形成されたシート部材からなり、各表面材１１とほぼ等しい大きさを有する矩形状をなしている。遮音部材１２を構成する前記シート部材の比重の値は、図示の例では、２０〜３０ｋｇ／ｍ３に設定されており、前記シート部材の厚さ寸法は、図示の例では、１〜２ｍｍに設定されている。遮音部材１２は、その両面１２ａ，１２ｂがそれぞれ表面材１１で覆われるように該各表面材間に配置されている。
【００２２】
本発明に係る防音カーテン１０には、各表面材１１及び遮音部材１２間に、各表面材１１と遮音部材１２とをそれぞれ互いに解除可能に結合するための結合部材１３が設けられている。
【００２３】
結合部材１３は、図２に示す例では、いわゆるマジックテープ（登録商標）として知られている面ファスナーで構成されている。すなわち、結合部材１３は、遮音部材１２の両面１２ａ，１２ｂのそれぞれに設けられた複数の第一の基部１４と、該各第一の基部にそれぞれ設けられた複数の突起部１５と、各表面材１１の遮音部材１２側の裏面１１ａに設けられた複数の第二の基部１６と、該各第二の基部にそれぞれ設けられ、各突起部１５に係止可能な複数の係止部１７とを備える。
【００２４】
各第一の基部１４は、図１及び図３に示す例では、それぞれ例えばナイロン（登録商標）のような合成繊維で形成されたシート部材からなり、遮音部材１２の各面１２ａ，１２ｂ上に防音カーテン１０の縦方向（図３で見て上下方向である。）に沿って伸び且つ防音カーテン１０の前記横方向に互いに間隔をおいて配置されている。  
【００２５】
各第二の基部１６は、図示の例では、それぞれ第一の基部１４と同様に合成繊維で形成されたシート部材からなり、各表面材１１の裏面１１ａ上に各第一の基部１４に整合する位置で防音カーテン１０の縦方向に沿って伸びるように配置されている。
【００２６】
各第一及び第二の基部１４，１６は、それぞれ遮音部材１２の各面１２ａ，１２ｂ及び各表面材１１の裏面１１ａに例えば接着剤により接着され又は糸を用いて縫合されることにより固定されている。
【００２７】
各突起部１５は、図２に示すように、それぞれ各第一の基部１４に該各第一の基部から各表面材１１に向けて突出するように固定されている。各突起部１５の先端には、それぞれ各係止部１７に係止される弾性変形可能なフック部１８が形成されている。各突起部１５は、各第一の基部１４がそれぞれ遮音部材１２の各面１２ａ，１２ｂに固定されることにより、各第一の基部１４を介して遮音部材１２にそれぞれ取り付けられている。
【００２８】
各係止部１７は、図示の例では、それぞれ環状をなしており、それぞれ各第二の基部１６に該各第二の基部から遮音部材１２に向けて突出するように固定されている。各係止部１７は、各第二の基部１６がそれぞれ各表面材１１の裏面１１ａに固定されることにより、各第二の基部１６を介して各表面材１１にそれぞれ取り付けられている。
【００２９】
各突起部１５のフック部１８をそれぞれ環状の各係止部１７に押し付けると、従来よく知られているように、その押し付け力によって、各フック部１８は、それぞれ弾性変形することにより各係止部１７内に挿入し、各係止部１７に引っ掛かる。これにより、各突起部１５及び各係止部１７が互いに結合されるので、各表面材１１及び遮音部材１２が互いに対向した状態で結合部材１３を介して結合される。
【００３０】
また、各表面材１１をそれぞれ遮音部材１２から分離させるべく各表面材１１にそれぞれ各突起部１５のフック部１８の弾性力に抗して遮音部材１２から離反させる方向に引っ張る引っ張り力を作用させると、従来よく知られているように、この引っ張り力の大部分は、互いに係止した各係止部１７及び各突起部１５を互いに離反させる離反力として各係止部１７及び各突起部１５に作用する。前記離反力は各フック部１８に該各フック部をそれぞれ弾性変形させる変形力として作用するので、各フック部１８がそれぞれ弾性変形することにより各突起部１５から抜け出し、これにより、各突起部１５への各係止部１７の係止が解除される。従って、結合部材１３による各表面材１１及び遮音部材１２の相互の結合が解除され、各表面材１１及び遮音部材１２が互いに分離する。
【００３１】
更に、本発明に係る防音カーテン１０では、各表面材１１と遮音部材１２との間に、各表面材１１を経て該各表面材及び遮音部材１２間に伝播した音の少なくとも一部を吸収するための複数の吸音部材１９がそれぞれ配置されている。
【００３２】
各吸音部材１９は、図１及び図３に示すように、防音カーテン１０の前記縦方向に沿って伸びる矩形状をなしており、各表面材１１及び遮音部材１２間に各結合部材１３間でそれぞれ配置されている。
【００３３】
また、各吸音部材１９は、図示の例では、それぞれポリエチレン製の不織布からなる。不織布は、従来よく知られているように、複数の繊維を互いに織り合わせることにより形成された織布とは異なり、互いに並べて重ねた複数の繊維に熱や水等により圧力を掛けて各繊維を互いに結合することによって形成された布である。各吸音部材１９を構成する不織布の比重の値は、図示の例では、２〜３ｋｇ／ｍ３に設定されている。また、前記不織布の厚さ寸法は、互いに結合された各表面材１１と遮音部材１２との間隔よりも大きくなるように設定されており、図示の例では、３〜１０ｍｍに設定されている。これにより、各表面材１１及び遮音部材１２が結合部材１３により互いに結合されたとき、各吸音部材１９にはそれぞれ各表面材１１から遮音部材１２に向けての押圧力が作用するので、この押圧力により各吸音部材１９はそれぞれ各表面材１１及び遮音部材１２間で圧縮される。従って、各吸音部材１９は、各表面材１１及び遮音部材１２の相互の結合状態では、図４に示すように、各表面材１１及び遮音部材１２間に挟持されている。
【００３４】
本発明に係る防音カーテン１０が例えば図示しない窓を覆うように室内に配置されている場合に、該室内で発生した音が室内側に配置された一方の表面材１１に到達したとき、前記音の大部分は、前記一方の表面材１１を室内側から屋外側に通過し、前記一方の表面材１１と遮音部材１２との間に配置された各吸音部材１９に到達する。
【００３５】
このとき、各吸音部材１９が、前記したように、それぞれ複数の繊維を互いに結合することによって形成された不織布からなることから、各吸音部材１９はそれぞれ多孔質構造を有するので、各吸音部材１９内に音が入ったとき、該各吸音部材の各繊維間の空気の一部は、それぞれ音から受ける音圧により各吸音部材１９内に押し込まれ、更に、各吸音部材１９の遮音部材１２側に存在する空気から受ける圧力により各吸音部材１９の内方に押し戻される。この繰り返しにより、各吸音部材１９の各繊維間の空気の一部は、各繊維間で各表面材１１を通過した音の周波数と同一の周波数で単振動する。この単振動により各繊維間の空気と各繊維との間に摩擦が生じ、この摩擦により音のエネルギーが熱エネルギーに変換される。これにより、各表面材１１を通過した周波数成分の音の一部が各吸音部材１９で吸収される。
【００３６】
各吸音部材１９で吸収されることなく該各吸音部材を通過した音は、遮音部材１２に当たる。このとき、遮音部材１２は、音から受ける音圧により該音の周波数と同一の周波数でいわゆる膜振動する。この遮音部材１２の膜振動は、遮音部材１２を挟んで配置された複数の吸音部材１９及び各表面材１１の変形により吸収される。これにより、遮音部材１２に当たった音が室内側から屋外側に遮音部材１２を経て伝播することが抑制される。
【００３７】
これにより、前記室内で発生した音が防音カーテン１０を経てその室内側から屋外側に伝播することが防止されるので、前記室内で発生した音が前記窓を経て屋外に漏れることが抑制される。
【００３８】
屋外で音が発生した場合も、屋外側に配置された各吸音部材１９の前記した吸音作用及び遮音部材１２の前記した遮音作用により、屋外で発生した音が室内に伝播することを上記したと同様に抑制することができる。
【００３９】
前記窓に設けられた防音カーテン１０を前記窓の例えば左右方向に移動させることにより該窓を開閉する場合、防音カーテン１０を、その前記横方向が前記窓の左右方向を向くように配置し、前記窓の上部に設けられた図示しないカーテンレールに上部１０ａ（図１参照。）で吊るす。前記窓を開放する際、山折り及び谷折りを交互に行うことによって防音カーテン１０を折りたたみながら前記カーテンレールに沿って移動させることにより、防音カーテン１０をその前記横方向に縮める。このとき、各表面材１１、遮音部材１２及び各吸音部材１９が、前記したように、それぞれ布地、塩化ビニル及び不織布のように柔軟性を有する部材からなることから、各表面材１１、遮音部材１２及び各吸音部材１９が例えば木材や金属等からなる場合に比べて、それらを容易に折り曲げることができる。
【００４０】
他方、前記窓に設けられた防音カーテン１０を前記窓の例えば上下方向に移動させることにより該窓を開閉する場合、防音カーテン１０を、その前記縦方向が前記窓の左右方向を向くように配置し、その左端部１０ｂ及び右端部１０ｃ（図１参照。）のいずれかで前記窓の上部に吊るす。前記窓を開放する際、山折り及び谷折りを交互に行うことによって防音カーテン１０を前記窓の上部に向けて折りたたむことにより、又は、防音カーテン１０を前記窓の上部に向けて巻き上げることにより、防音カーテン１０をその前記横方向すなわち前記窓の上下方向に縮める。このとき、各表面材１１、遮音部材１２及び各吸音部材１９が、前記したと同様に、それぞれ柔軟性を有する部材からなることから、各表面材１１、遮音部材１２及び各吸音部材１９が例えば木材や金属等からなる場合に比べて、それらを容易に折り曲げることができ且つそれらを容易に巻くことができる。
【００４１】
本実施例によれば、前記したように、各表面材１１及び遮音部材１２間には、各表面材１１及び遮音部材１２をそれぞれ互いに解除可能に結合させるための結合部材１３が設けられていることから、各表面材１１及び遮音部材１２は、それぞれ結合部材１３を介して互いに着脱可能に結合されている。
【００４２】
これにより、結合部材１３による結合を単に解除することにより各表面材１１及び遮音部材１２を互いに容易に分離することができるので、各表面材１１及び遮音部材１２を互いに分離させるために、従来のように遮音部材及び各表面材の縫合に用いた糸を解いたり遮音部材及び各表面材を互いに剥離させたりする場合に比べて、防音カーテン１０の分解作業を確実に容易に行うことができる。また、各表面材１１及び遮音部材１２を各結合部材１３により互いに結合させることにより防音カーテン１０を容易に組み立てることができるので、防音カーテン１０を組み立てるために、従来のように遮音部材と各表面材とを互いに縫合し又は接着する場合に比べて、防音カーテン１０を容易に組み立てることができる。
【００４３】
従って、例えば防音カーテン１０の遮音性能を調節するために各表面材１１を交換することなく遮音部材１２を他の遮音部材に交換する場合や、防音カーテン１０を設置する部屋の雰囲気に応じて各表面材１１の材質及び色等を変更させるために遮音部材１２を交換することなく各表面材１１を他の表面材に交換する場合でも、結合部材１３による結合を解除することにより各表面材１１及び遮音部材１２を互いに分離させ、遮音部材１２及び各表面材１１を新たな遮音部材及び各表面材に交換した後、新たな遮音部材と既存の各表面材とを互いに結合部材１３により結合し、又は、新たな各表面材と既存の遮音部材１２とをそれぞれ結合部材１３により結合することにより、従来のように遮音部材と各表面材とが互いに縫合され又は接着されることにより結合された場合に比べて、遮音部材１２及び各表面材１１をそれぞれ交換するための作業を容易に行うことができる。
【００４４】
また、前記したように、結合部材１３による結合及びその解除により各表面材１１を遮音部材１２から容易に分離させることができることから、本実施例のように各表面材１１がそれぞれ布地のように汚れやすい材料からなる場合であって、遮音部材１２が樹脂製のように洗濯する必要がない又は洗濯することができない部材からなる場合でも、各表面材１１を遮音部材１２から分離させることにより、遮音部材１２を洗濯することなく各表面材１１を単独で洗濯することができる。
【００４５】
更に、前記したように、結合部材１３は、遮音部材１２の両面１２ａ，１２ｂにそれぞれ設けられた複数の突起部１５と、各表面材１１の裏面１１ａに設けられ、各突起部１５に係止可能な複数の係止部１７とを備えるいわゆるマジックテープ（登録商標）で構成されていることから、各表面材１１の各係止部１７をそれぞれ遮音部材１２の各突起部１５に係止することにより、各表面材１１及び遮音部材１２を互いに容易に結合することができ、また、各突起部１５への各係止部１７の係止をそれぞれ解除することにより、各表面材１１及び遮音部材１２を互いにより容易に分離させることができる。
【００４６】
特に、遮音部材１２が本実施例のように塩化ビニルのような合成樹脂製である場合、遮音部材１２を従来のように接着剤により各表面材１１に直接接合すると、遮音部材１２と各表面材１１が互いに一体化する。このため、遮音部材１２を各表面材１１から剥離させるべくそれらに引っ張り力を作用させたとき、この引っ張り力の大部分が各表面材１１及び遮音部材１２に直接作用するため、前記引っ張り力により遮音部材１２及び各表面材１１が破損する虞がある。この場合、破損した部材を新たな部材に交換する必要があるため、交換する必要がない部材を新たな部材に交換する必要が生じてしまい、製造コストの増大を招く。
【００４７】
これに対し、本実施例によれば、前記したように、各表面材１１及び遮音部材１２は、互いに直接接合されることなく各突起部１５への各係止部１７の係止により互いに結合されていることから、各表面材１１を遮音部材１２から分離させるべく各表面材１１に引っ張り力を作用させたとき、この引っ張り力の大部分は、各表面材１１及び遮音部材１２に直接作用することなく、互いに係止した各係止部１７及び各突起部１５を互いに離反させる離反力として各係止部１７及び各突起部１５に作用する。前記したように、前記離反力によって各係止部１７が弾性変形することにより各突起部１５への各係止部１７の係止が容易に解除されることから、各表面材１１に作用する前記引っ張り力により遮音部材１２及び各表面材１１が破損することはない。従って、交換する必要がない部材を新たな部材に交換することによる従来のような製造コストの増大を確実に防止することができる。
【００４８】
また、前記したように、各表面材１１と遮音部材１２との間に、各表面材１１を経て該各表面材及び遮音部材１２間に伝播した音の少なくとも一部を吸収するための複数の吸音部材１９がそれぞれ配置されていることから、遮音部材１２による遮音作用に加えて、各吸音部材１９による吸音作用により、防音カーテン１０の一方の表面材１１側から他方の表面材１１側に音が防音カーテン１０を経て伝播することをより確実に防止することができる。
【００４９】
また、各表面材１１を経て該各表面材及び遮音部材１２間に伝播した音の一部が、各吸音部材１９により吸収されることなく各吸音部材１９を経て遮音部材１２に到達したときに該遮音部材で反射した場合でも、遮音部材１２で反射した音を各吸音部材１９で吸収することができるので、遮音部材１２で反射した音による残響の発生を確実に防止することができる。
【００５０】
更に、各吸音部材１９は、接着剤による接着力や糸による縫合力によることなく、結合部材１３による各表面材１１及び遮音部材１２の結合により各表面材１１及び遮音部材１２のそれぞれから受ける圧縮力によって、それぞれ各表面材１１及び遮音部材１２間に挟持されていることから、結合部材１３の結合の解除による各表面材１１及び遮音部材１２の相互の分離により前記圧縮力の強さが低下するので、各表面材及び遮音部材との縫合に用いた糸を解いたり各吸音部材を各表面材及び遮音部材から剥離させたりする従来のような格別な作業を施すことなく、結合部材１３による結合を単に解除することにより、各表面材１１及び遮音部材１２間から各吸音部材１９を容易に取り出すことができる。これにより、例えば防音カーテン１０の全体の吸音性能を変更するために吸音部材１９を交換する必要がある場合でも、格別な作業を施すことなく各吸音部材１９を新たな吸音部材に容易に交換することができる。
【００５１】
本実施例では、各表面材１１及び遮音部材１２を互いに解除可能に結合する結合部材１３の各第一の基部１４及び各第二の基部１６がそれぞれ防音カーテン１０の縦方向に沿って伸びるように配置された例を示したが、これに代えて、各基部１４，１６をそれぞれ防音カーテン１０の例えば横方向に沿って伸びるように配置することができる。
【００５２】
また、本実施例では、遮音部材１２の両面１２ａ，１２ｂに複数の突起部１５が設けられ、各表面材１１の裏面１１ａに複数の係止部１７が設けられた例を示したが、これに代えて、遮音部材１２の両面１２ａ，１２ｂにそれぞれ各係止部１７を設け、各表面材１１の裏面１１ａに各突起部１５を設けることができ、又は、遮音部材１２の一方の面１２ａに各係止部１７を設け、他方の面１２ｂに各突起部１５を設け、遮音部材１２の前記一方の面１２ａ側の一方の表面材１１の裏面１１ａに各突起部１５を設け、遮音部材１２の前記他方の面１２ｂ側の他方の表面材１１の裏面１１ａに各係止部１７を設けることができる。
【００５３】
更に、本実施例では、結合部材１３が、先端にフック部１８が形成された複数の突起部１５と、該各突起部のフック部１８に係止可能な環状の係止部１７とを備えるマジックテープ（登録商標）のような面ファスナーで構成された例を示したが、これに代えて、例えば、先端に拡径部が形成された複数の突起部と該各突起部の拡径部が嵌合可能な環状の複数の係止部とを備える従来よく知られたスナップボタンのように面ファスナー以外の部材で結合部材１３を構成することができる。
【００５４】
また、本実施例では、各表面材１１がそれぞれ布地からなる例を示したが、これに代えて、布地以外の部材からなる表面材を本発明に適用することができる。
【００５５】
更に、本実施例では、遮音部材１２が塩化ビニルで形成されたシート部材からなる例を示したが、これに代えて、塩化ビニル以外の合成樹脂又は合成樹脂以外の材料で形成されたシート部材からなる遮音部材を本発明に適用することができる。
【００５６】
また、本実施例では、各吸音部材１９がそれぞれポリエチレン製の不織布からなる例を示したが、これに代えて、例えばグラスウールのような綿状体からなる吸音部材を本発明に適用することができる。
【図面の簡単な説明】
【００５７】
【図１】本発明に係る防音カーテンを概略的に示す斜視図である。
【図２】本発明に係る各表面材及び遮音部材が結合部材を介して互いに結合された状態を概略的に示す縦断面図である。
【図３】本発明に係る遮音部材上に結合部材及び複数の吸音部材が配置された状態を概略的に示す正面図である。
【図４】図１のI−I線に沿った縦断面図である。
【符号の説明】
【００５８】
１０  防音カーテン
１１  表面材
１２  遮音部材
１３  結合部材
１５  突起部
１７  係止部
１９  吸音部材
【図１】
2008119156.tif 000003
【図２】
2008119156.tif 000004
【図３】
2008119156.tif 000005
【図４】
2008119156.tif 000006